(57)【要約】【課題】筐体のうち、保持部の開口から露出する部分のエッジをなくすことができるとともに、保持部の開口を通じて露出する筐体の外面に塗装を行うことが可能になる移動体室内照明装置を提供する。【解決手段】移動体室内照明装置１０は、光源部１２と、光源部１２を保持する保持部５０と、保持部５０に光源部１２を圧迫する圧迫部７２とを含む。光源部１２は発光体を内部に有する球状の筐体１３を有する。筐体１３には複数の凸部３５，３６が配置され、保持部５０には、凸部３５，３６を受け入れる複数の凹部５７が配置される。１つの凸部３５が１つの凹部５７に接近する場合に、他の凸部３６は他の凹部５７から離れるように構成される。【選択図】図１
2020050194.tif 000002
【特許請求の範囲】
【請求項１】
光源部と、
前記光源部を保持する保持部と、
前記保持部に前記光源部を圧迫する圧迫部と、を備え、
前記光源部は発光体を内部に有する球状の筐体を有し、
前記筐体には複数の凸部が配置され、
前記保持部には、前記凸部を受け入れる複数の凹部が配置され、
１つの前記凸部が１つの前記凹部に接近する場合に、他の前記凸部は他の前記凹部から離れるように構成される、
移動体室内照明装置。
【請求項２】
前記凹部の幅は前記凸部の幅とほぼ一致する、
請求項１に記載の移動体室内照明装置。
【請求項３】
前記凹部は、前記圧迫部側開口端に向かって幅が広がる末広がり形状である、
請求項１または２に記載の移動体室内照明装置。
【請求項４】
前記凸部は、前記保持部側の外形が円筒の曲面状である、
請求項１〜３のいずれか１項に記載の移動体室内照明装置。
【請求項５】
前記筐体には一対の軸部が配置され、
前記一対の軸部は、前記保持部の一対の規制部に受け入れ可能であり、
前記筐体が回動するときに、前記一対の軸部のうち、一方の前記軸部が前記規制部から脱離するが、他方の前記軸部が前記規制部に受け入れられている状態を含むように前記筐体の回動範囲が設定されている、
請求項１〜４のいずれか１項に記載の移動体室内照明装置。
【請求項６】
請求項１〜５のいずれか１項に記載の移動体室内照明装置を備え、
前記移動体室内照明装置が座席の上側に配置された、
移動体。
【発明の詳細な説明】
【技術分野】
【０００１】
本開示は、移動体室内照明装置及び移動体に関する。
【背景技術】
【０００２】
従来から、鉄道車両、航空機等の座席の近くに設置される移動体室内照明装置として、金属製の保持部に光源部の球体状の筐体を保持し、保持部の円形の開口から突出した筐体の一部に短筒部を設ける構成が知られている。短筒部の内側には光源部のレンズ部が配置される。短筒部の先端部外周面が、保持部の円形の開口の内周面に突き当たることで、筐体の回転を規制するストッパとなる。
【０００３】
特許文献１には、読書灯（移動体室内照明装置）が記載されている。この読書灯では、光源を内部に有する灯具を、一対の円弧壁部を有する器具本体の内側に配置し、円弧壁部間の隙間に、灯具ボディから突出した突起を挿入することで、器具本体に対する灯具のわずかな回転を許容している。また、灯具ボディの照射側である正面側に突出する円筒部の外面を規制リングの内周部に接触させることで、灯具の回転を規制し、灯具の照射方向の移動範囲を規制している。また、灯具ボディの背面が球面の一部を有し、その背面を板ばねで押さえつけている。
【先行技術文献】
【特許文献】
【０００４】
【特許文献１】特開２００９−２７４７１２号公報
【発明の概要】
【発明が解決しようとする課題】
【０００５】
従来から知られている球体状の筐体を保持部に保持した照明装置では、筐体の短筒部を保持部の開口に突き当てるストッパとするため、この短筒部の先端には角部（エッジ）が形成される。これにより、短筒部の先端にユーザが触れた場合に痛みを感じる場合がある。このため、短筒部の角部を無くすことが望まれる。また、照明装置の設置状態での高級感を出すために、保持部の開口を通じて露出する筐体の外面に塗装を行うことが考えられるが、短筒部が保持部に突き当たることで塗装剥がれが生じる。このため、筐体の外面には塗装が行われていない。特許文献１に記載された照明装置の場合も、上記と同様の不都合が生じる。
【課題を解決するための手段】
【０００６】
本開示の一態様である移動体室内照明装置は、光源部と、光源部を保持する保持部と、保持部に光源部を圧迫する圧迫部と、を備え、光源部は発光体を内部に有する球状の筐体を有し、筐体には複数の凸部が配置され、保持部には、凸部を受け入れる複数の凹部が配置され、１つの凸部が１つの凹部に接近する場合に、他の凸部は他の凹部から離れるように構成される、移動体室内照明装置である。
【０００７】
本開示の一態様である移動体は、本開示の移動体室内照明装置を備え、移動体室内照明装置が座席の上側に配置された移動体である。
【発明の効果】
【０００８】
本開示の一態様である移動体室内照明装置及び移動体によれば、筐体の動きを凸部及び凹部の接近により規制できるので、筐体のうち、保持部の開口から露出する部分に筐体の動きを規制するストッパを設ける必要がない。これにより、筐体のうち、保持部の開口から露出する部分のエッジをなくすことができるとともに、保持部の開口を通じて露出する筐体の外面に塗装を行うことが可能になる。
【図面の簡単な説明】
【０００９】
【図１】実施形態の一例の移動体室内照明装置を光出射方向とは逆の裏側から見た斜視図である。
【図２】実施形態の一例の移動体室内照明装置を光出射方向である正面側から見た斜視図である。
【図３】実施形態の一例の移動体室内照明装置を裏側から見た図である。
【図４】図３のＡ矢視図である。
【図５】図３のＢ矢視図である。
【図６】実施形態の一例の移動体室内照明装置を正面側から見た分解斜視図である。
【図７】実施形態の一例の移動体室内照明装置を裏側から見た分解斜視図である。
【図８】図３のＣ−Ｃ断面図である。
【図９】実施形態の一例の移動体において、座席と移動体室内照明装置との関係を示す図である。
【発明を実施するための形態】
【００１０】
以下、図面を参照しながら、本開示に係る移動体室内照明装置の実施形態の一例について詳細に説明する。実施形態の説明で参照する図面は模式的に記載されたものであるから、各構成要素の寸法比率などは以下の説明を参酌して判断されるべきである。以下の説明において、具体的な形状、材料、数量等は、本開示の理解を容易にするための例示であって、照明装置の仕様に合わせて適宜変更することができる。以下では、すべての図面において同様の要素には同一の符号を付して説明する。
【００１１】
図１は、実施形態の一例の移動体室内照明装置１０を光出射方向とは逆の裏側から見た斜視図である。図２は、移動体室内照明装置１０を光出射方向である正面側から見た斜視図である。図３は、移動体室内照明装置１０を裏側から見た図である。図４は、図３のＡ矢視図である。図５は、図３のＢ矢視図である。図６は、移動体室内照明装置１０を正面側から見た分解斜視図である。図７は、移動体室内照明装置１０を裏側から見た分解斜視図である。図８は、図３のＣ−Ｃ断面図である。以下では、移動体室内照明装置１０は、照明装置１０と記載する。
【００１２】
図１から図８に示すように、照明装置１０は、光源部１２と、保持部５０と、摺動リング７０（図６〜図８）と、圧迫部７２とを備える。
【００１３】
照明装置１０は、移動体である航空機９０（図９）の座席９１（図９）の近くに配置される。具体的には、航空機９０における乗客用の座席９１の上側において座席９１に座ったユーザの手が届く範囲に設けられた取付孔に埋め込んで取り付けられ、下側に光を照射する。これについては、後で図９を用いて説明する。本明細書では、説明の便宜上、照明装置１０を取り付けた状態で、照明装置１０の光出射側を「正面側」と記載し、その反対側を「裏側」と記載する。
【００１４】
光源部１２は、略球状の筐体１３、発光体４０（図６、図８）、及びレンズ４４（図２）を含んで構成される。筐体１３は、正面側（図４、図５の下側）のカバー１４と、裏側（図４、図５の上側）の光源ボディ３０とを結合して形成される。図６〜図８に示すように、カバー１４は、半球面状の内面及び外面を有し、正面側に突出する短筒部１５を含む。カバー１４は、例えば軽量でかつ耐熱性に優れた樹脂等により形成される。
【００１５】
短筒部１５の正面側端である先端には円形の開口１８が形成される。カバー１４の裏側端にも開口１９が形成される。カバー１４の裏端側部外周面の互いに１８０度位相が異なる２つの位置に中心軸Ｏに対し直交する方向に突出する一対の軸部２０，２１が形成されて配置される。各軸部２０，２１は、互いに大きさがほぼ同じ円柱状である。一対の軸部２０，２１は、後述する保持部５０に対し筐体１３が移動する範囲を規制するために用いられる。カバー１４の内面には、複数の取付凸部２２（図７）が形成され、取付凸部２２には中心軸Ｏと平行方向のネジ孔２３（図７）が形成される。
【００１６】
図６〜図８に示すように、光源ボディ３０は、半球状に形成され、正面側端のほとんどの部分に中心軸Ｏに対し直交する平面に沿う平面部３１を有する。光源ボディ３０の正面側端部の外周面の周方向複数位置には、溝部３２，３３，３４が形成される。光源ボディ３０の正面側端部の外周面の互いに１８０度位相が異なる２つの位置には、中心軸Ｏに対し直交する方向に突出する２つの凸部３５，３６が形成されて配置される。２つの凸部３５，３６の大きさはほぼ同じである。２つの凸部３５，３６の裏側面は、２つの溝部３２の正面側面から平面状に連続する。各凸部３５，３６の先端部は、正面側端の平面部３１よりも正面側に突出する。各凸部３５，３６の先端部の少なくとも正面側、すなわち後述する保持部５０側の外形は円筒の曲面状である。各凸部３５，３６は、光源ボディ３０とカバー１４との外面によって構成される球面部分において、中心からの距離が最も大きい赤道線上にほぼ位置する。２つの凸部３５，３６も、カバー１４の軸部２０，２１と同様に、後述する保持部５０に対し筐体１３が移動する範囲を規制するために用いられる。光源ボディ３０は、例えば金属、好ましくは鉄よりも軽量なアルミニウムまたはその合金の鋳造によって形成される。
【００１７】
光源ボディ３０の複数の溝部３２，３３，３４のうち、少なくとも一部の溝部３２の正面側端面には中心軸Ｏと平行方向に貫通する孔３７が形成される。孔３７を貫通したボルト（図示せず）が図７に示すカバー１４の取付凸部２２に形成されたネジ孔２３に結合される。これにより、カバー１４と光源ボディ３０とが一体に固定され、カバー１４の外面と光源ボディ３０の外面とが、中心が一致した球面の一部を形成する。この状態で、２つの凸部３５，３６は、筐体１３の外面から突出する。凸部３５，３６とカバー１４に形成された軸部２０，２１とは、筐体１３の周方向の位相が異なる位置に形成される。
【００１８】
図６、図８に示す発光体４０は、筐体１３の内部に配置される。発光体４０は、基板４１上に実装される。発光体４０は、例えば白色発光するＬＥＤ（発光ダイオード）である。基板４１は、例えば、セラミック基板、樹脂基板、またはメタルベース基板等である。基板４１には、リード線（図示せず）を介して電源部（図示せず）が接続される。電源部には電線（図示せず）が接続されて、電線に接続されたコネクタを介して交流電源の電力が供給される。電源部は、交流電力を直流電力に変換した後、発光体４０に電力を供給する。基板４１は、発光体４０を正面側に配置して、樹脂シート等のシート材（図示せず）を介して光源ボディ３０の平面部３１に取り付けられる。
【００１９】
図６〜図８に示すレンズ４４は、筐体１３の内部において、発光体４０の正面側に配置される。具体的には、レンズ４４は、発光体４０が発した光を透過させて出射する位置に配置される。レンズ４４は、例えば円筒状のレンズホルダ（図示せず）の内側に保持され、そのレンズホルダが光源ボディ３０の正面側端にボルトにより取り付けられる等により、光源ボディ３０に固定される。
【００２０】
基板４１に接続されたリード線は、光源ボディ３０に形成された孔（図示せず）を通って外部に取り出される。リード線は、電源部を介して電線に接続され、電線はコネクタを介して外部の交流電源に接続される。
【００２１】
保持部５０は、環状の円板部５１と、円板部５１の裏側面の内周側端部から突出する壁部５４とを含む。保持部５０は、内側に光源部１２を保持する。円板部５１の正面側面の内周側端部から断面略Ｌ字形の短筒部５３が形成される。短筒部５３は、正面側端に内周側に突出する円形鍔部５３ａを有する。保持部５０は、例えば金属、例えばアルミニウムまたはその合金の鋳造によって形成される。保持部５０は、樹脂により形成されてもよい。
【００２２】
保持部５０の短筒部５３の円形鍔部５３ａ上（裏側面上）には摺動リング７０が配置される。摺動リング７０は、樹脂シートであり、内周面には断面円弧形の曲面部７１が形成される。曲面部７１は、光源部１２のカバー１４外面の球面とほぼ一致する形状である。曲面部７１は、裏側端に向かって直径が大きくなる。これにより、曲面部７１は、カバー１４の外面を受けて、光源部１２を摺動可能に支持する。
【００２３】
保持部５０の壁部５４の裏側端のうち、互いに１８０度位相が異なる２つの位置には、２つの橋脚部５５が突出するように形成される。各橋脚部５５は、略Ｈ字形に形成される。
【００２４】
図３に示すように、保持部５０の壁部５４の内周面のうち、互いに１８０度位相が異なる２つの位置には一対の溝部５６が形成される。溝部５６の裏側端は、壁部５４の裏側端に達することで開口している。一対の溝部５６のそれぞれは、カバー１４から突出する軸部２０，２１のいずれか１つを受け入れ可能である。一対の溝部５６の大きさは互いにほぼ同じである。溝部５６は、規制部に相当する。溝部５６における保持部５０の周方向の幅は、軸部２０，２１の直径とほぼ一致する。溝部５６は、裏側開口端に向かって周方向の幅が広がる末広がり形状である。
【００２５】
保持部５０の壁部５４の内周面のうち、互いに１８０度位相が異なる２つの位置には２つの凹部５７が形成される。凹部５７の裏側端は、壁部５４の裏側端に達することで開口している。２つの凹部５７は、光源ボディ３０から突出する凸部３５，３６のいずれか１つを受け入れ可能である。２つの凹部５７の大きさは互いにほぼ同じである。凹部５７における保持部５０の周方向の幅は、凸部３５，３６の周方向の幅とほぼ一致する。凹部５７は、裏側開口端に向かって周方向の幅が広がる末広がり形状である。
【００２６】
壁部５４は、凹部５７側の裏側端と溝部５６側の裏側端との間に段差面５８が形成されることにより、凹部５７が配置された部分の高さが、溝部５６が配置された部分の高さより大きくなっている。
【００２７】
圧迫部７２は、樹脂構造体７３と、板ばね８０とが結合されて形成される。図４に示すように、樹脂構造体７３は、互いに離れた２つの端荷重受け部７４と、２つの端荷重受け部７４を連結する中央荷重受け部７７とが一体に形成されている。図６、図８に示すように端荷重受け部７４の正面側面は、光源部１２における光源ボディ３０の球面部の外形とほぼ一致する曲面部７５を有する。端荷重受け部７４の正面側面の外端部には、曲面部７５よりも内側に配置される光源部１２側に突出する突出部７６が形成される。これにより、樹脂構造体７３を外側から見た状態で樹脂構造体７３の厚みは、中央部で小さくなっており、両端に向かって徐々に大きくなっている。中央荷重受け部７７の正面側面には、中心軸が一致する二重の円筒部７８，７９が形成される。円筒部７８,７９は、それぞれ円環リブに相当する。円筒部７８，７９の先端面は、光源ボディ３０の球面部の外形とほぼ一致する球面上にある。これにより、光源ボディ３０の回動中心を、球面部の中央点に維持しやすくなる。樹脂構造体７３の裏側には、板ばね８０を係止するための溝部７３ａが形成される。樹脂構造体７３は、例えば、ポリアセタール（ＰＯＭ）等の樹脂により形成される。
【００２８】
板ばね８０は、長尺な本体板部８１と、本体板部８１の長手方向両端から正面側に向かって略直角に曲げられた２つの端板部８２とを有する断面略Ｃ字形である。２つの端板部８２の先端には、互いに近づく方向に略直角に曲げられることで係止部８３が形成される。板ばね８０は、樹脂構造体７３の溝部７３ａに係止された状態で一体化され、板ばねの２つの端板部８２が、保持部５０の２つの橋脚部５５を外側から挟むように、２つの橋脚部５５に取り付けられる。この状態で、係止部８３は、橋脚部５５の中間部に係止される。樹脂構造体７３の中央荷重受け部７７の各円筒部７８，７９先端には、光源ボディ３０の裏側端が押し付けられる。したがって、光源部１２は、圧迫部７２の円筒部７８，７９先端と、摺動リング７０とに押し付けられ、かつ摺動しながら回動可能に保持される。これにより、圧迫部７２は、保持部５０に光源部１２を圧迫する。また、光源部１２の正面側端部が、保持部５０の正面側端の開口から突出してこの突出した部分をユーザが手で触って光源部１２を回動させることができるので、光源部１２の光軸の向きを任意に変えることができる。さらに、図８に示すように、樹脂構造体７３の端荷重受け部７４の突出部７６と光源ボディ３０の外面との間には、通常状態で隙間が形成される。ユーザが手で光源部１２を裏側に押した場合にこの隙間はなくなって突出部７６に光源ボディ３０が押し付けられることで、端荷重受け部７４は光源ボディ３０からの力を中心軸Ｏに対し傾斜した方向の力に変えることができる。このとき、端荷重受け部７４は強度の高い壁部５４に、２つの橋脚部５５の間隔を広げる方向に押し付けられる。これにより、光源ボディ３０から受ける力を強度の高い壁部５４で受けやすくなり、圧迫部７２のうち、中心軸Ｏ方向の力を受ける裏側端部の厚みを過度に大きくする必要がなくなる。このため、照明装置１０の強度を高くしながら、照明装置１０の外形が過度に大きくなることを防止できる。
【００２９】
このような照明装置１０は、図９に示すように、航空機９０の座席９１の上側に配置された取付板部９２の取付孔（図示せず）に板ばね８０（図１）側を先にした状態で押し込んで、取付板部９２に取り付ける。このとき、取付板部９２の正面側に、保持部５０の円板部５１が露出させ、例えば円板部５１及び取付板部９２を貫通したクリップ、ねじ等の結合部材（図示せず）により照明装置１０を取付板部９２に取り付ける。
【００３０】
この状態で、光源部１２に形成された２つの凸部３５，３６のうち、１つの凸部３５が、保持部５０に形成された２つの凹部５７のうち、１つの凹部５７に接近する場合に、他の凸部３６は他の凹部５７から離れるように構成される。例えば、凸部３５が図１に矢印Ｐで示す方向に、凹部５７に接近する場合に、凸部３６が図１に矢印Ｑで示す方向に凹部５７から離れる。これとは逆に、１つの凸部３６が、２つの凹部５７のうち、１つの凹部５７に接近する場合に、他の凸部３５は他の凹部５７から離れるように構成される。さらに、筐体１３が回動するときに、一対の軸部２０，２１のうち、一方の軸部２０（または２１）が溝部５６から脱離するが、他方の軸部２１（または２０）が溝部５６に受け入れられている状態を含むように筐体１３の回動範囲が設定されている。これにより、図５に１つの凸部の移動軌跡（破線α）で示すように、各凸部３５，３６は８の字の上半部の形状に沿ってのみ移動するように、凸部３５，３６及び凹部５７または軸部２０，２１及び溝部５６の接触によって凸部３５，３６の移動が規制される。このように球面上で凸部３５，３６の移動が規制されることで、光源部１２の正面側端部が保持部５０の開口側端部に接触しない範囲で任意に、かつスムーズに、光源部１２の開口から突出した部分を手で移動させることができる。また、光源部１２の正面側端部が保持部５０の開口側端部に接触することは、裏側の凸部３５，３６及び凹部５７と軸部２０，２１及び溝部５６とにより防止される。
【００３１】
上記の照明装置１０及びこの照明装置１０を含む航空機９０によれば、光源部１２の筐体１３の動きを凸部３５，３６及び凹部５７の接近により規制できる。これにより、筐体１３のうち、保持部５０の正面側開口から露出する部分に筐体１３の動きを規制するストッパを設ける必要がない。このため、筐体１３のうち、保持部５０の開口から露出する部分のエッジをなくすことができるとともに、保持部５０の開口を通じて露出する筐体１３の外面に塗装を行うことが可能になる。さらに、エッジをなくすことができるので、図８に示すように、筐体１３の短筒部５３の正面側端の外周面には、断面円弧形の面取りＲを形成できる。これにより、ユーザが正面側から照明装置１０の筐体１３を触って光源部１２の照射方向を変える場合に、ユーザの安全性の向上を図れる。また、凸部３５，３６と凹部５７とで光源部１２の移動が規制されることにより耐振動性も向上できる。
【００３２】
また、凹部５７が末広がりの形状であるので、筐体１３の移動の自由度を高くしながら、筐体１３の正面側端部が保持部５０の開口側端部に接触することを規制できる。
【００３３】
また、凸部３５，３６は、保持部５０側の外形が円筒の曲面状であるので、筐体１３の移動時に保持部５０に引っかかることを防止できることにより、筐体１３のスムーズな動きを確保できる。
【００３４】
また、筐体１３が回動するときに、一対の軸部２０，２１のうち、一方の軸部２０（または２１）が溝部５６から脱離するが、他方の軸部２１（または２０）が溝部５６に受け入れられている状態を含むように筐体１３の回動範囲が設定される。これにより、正面側の外観において、溝を露出させることなく筐体１３の回動を規制できるとともに、組立性を向上できる。一方、実施形態と異なり、筐体側に溝部を形成し、保持部側に軸部を形成することも考えられる。しかしながら、この場合には、溝部に開口側から軸部を挿入するために、軸部が内面から突出した保持部の内側に、溝部を有する筐体を挿入して組み付けることができない。このため、軸部のない保持部に筐体を挿入した後で、筐体に保持部の外側から軸を差し込んで組み付ける必要があり、組み付け作業がかなり困難である。また、溝部が筐体の正面側に延びるので、筐体の正面側において、保持部の開口から露出した部分に溝部が見えて外観品質が損なわれる。実施形態によれば、このような不都合を防止できる。
【００３５】
上記の各例では発光体としてＬＥＤを用いる場合を説明したが、光源部の発光体はこのような構成に限定するものではなく、ＬＥＤ電球、白熱電球等、種々の光源を用いることができる。
【００３６】
また、上記では、照明装置を取り付ける移動体が航空機である場合を説明したが、移動体は、新幹線、バス等とし、座席の上側に照明装置が取り付けられてもよい。
【符号の説明】
【００３７】
１０  移動体室内照明装置（照明装置）、１２  光源部、１３  筐体、１４  カバー、１５  短筒部、１８，１９  開口、２０,２１  軸部、２２  取付凸部、２３  ネジ孔、３０  光源ボディ、３１  平面部、３２，３３，３４  溝部、３５，３６  凸部、３７  孔、４０  発光体、４１  基板、４４  レンズ、５０  保持部、５１  円板部、５３  短筒部、５３ａ  円形鍔部、５４  壁部、５５  橋脚部、５６  溝部、５７  凹部、５８  段差面、７０  摺動リング、７１  曲面部、７２  圧迫部、７３  樹脂構造体、７３ａ  溝部、７４  端荷重受け部、７５  曲面部、７６  突出部、７７  中央荷重受け部、７８，７９  円筒部、８０  板ばね、８１  本体板部、８２  端板部、８３  係止部、９０  航空機、９１  座席、９２  取付板部。
【図１】
2020050194.tif 000003
【図２】
2020050194.tif 000004
【図３】
2020050194.tif 000005
【図４】
2020050194.tif 000006
【図５】
2020050194.tif 000007
【図６】
2020050194.tif 000008
【図７】
2020050194.tif 000009
【図８】
2020050194.tif 000010
【図９】
2020050194.tif 000011